(57)【特許請求の範囲】
【請求項１】
それぞれ有機発光表示パネルと駆動部とを備えるモジュール１およびモジュール２と；
前記モジュール１および前記モジュール２に共通の制御信号、データ信号を印加し、前記モジュール１および前記モジュール２のうちいずれか１つを、または両方を選択する選択信号を別途に印加する制御部と；
前記選択信号に応じた駆動電圧を前記モジュール１およびモジュール２に供給する電源供給部と；
を備え、
前記電源供給部は、
入力電圧を伝達され、前記モジュール１を駆動させる第１駆動電圧、または前記モジュール２を駆動させる第２駆動電圧のいずれかを生成するように、前記選択信号に応じて選択的に電圧分配を行う電圧分配部と；
前記電圧分配された電圧をフィードバックして変換された電圧レベルを出力するＤＣ／ＤＣ変換部と；
を備え、
前記ＤＣ／ＤＣ変換部から出力される出力電圧を前記モジュール１および前記モジュール２に供給することを特徴とする、有機発光表示装置。
【請求項２】
前記制御部からの選択信号が前記モジュール１およびモジュール２の両方を選択する場合に、前記電源供給部は共通の駆動電圧を供給することを特徴とする、請求項１に記載の有機発光表示装置。
【請求項３】
前記電圧分配部は、
前記入力電圧が伝達される第１抵抗と；
前記第１抵抗に直列に連結され、互いに並列に連結される第２抵抗および第３抵抗と；
前記第２抵抗と接地端との間に配置され、前記選択信号によりターンオンされる第１スイッチと；
を備えることを特徴とする、請求項１に記載の有機発光表示装置。
【請求項４】
前記第１スイッチがターンオンされると、前記電源供給部から出力される前記第１駆動電圧が前記モジュール１に供給され、
前記第１スイッチがターンオフされると、前記電源供給部から出力される前記第２駆動電圧が前記モジュール２に供給されることを特徴とする、請求項３に記載の有機発光表示装置。
【請求項５】
前記制御部からの選択信号が前記モジュール１およびモジュール２の両方を選択する場合には、前記第１スイッチがターンオンされ、前記電源供給部から出力される前記第１駆動電圧が前記モジュール１および前記モジュール２の両方に供給されることを特徴とする、請求項４に記載の有機発光表示装置。
【請求項６】
前記電源供給部は、
前記入力電圧を平滑にする第１キャパシタをさらに備えることを特徴とする、請求項１に記載の有機発光表示装置。
【請求項７】
前記電源供給部は、
前記出力電圧を平滑にする第２キャパシタをさらに備えることを特徴とする、請求項１に記載の有機発光表示装置。
【請求項８】
前記電源供給部から前記モジュール１および前記モジュール２に出力される駆動電圧は、共通の電源ラインを通じて伝えられることを特徴とする、請求項１に記載の有機発光表示装置。
【請求項９】
それぞれ有機発光表示パネルと駆動部とを備えるモジュール１およびモジュール２と、前記モジュール１および前記モジュール２に共通の制御信号、データ信号を印加し、前記モジュール１および前記モジュール２のうちいずれか１つを、または両方を選択する選択信号を別途に印加する制御部とを備える有機発光表示装置に用いることが可能な電源供給装置であって：
入力電圧が伝達され、前記モジュール１を駆動させるための第１駆動電圧と、前記モジュール２を駆動させるための第２駆動電圧とのいずれかを生成するように、前記選択信号に応じて選択的に電圧分配を行う電圧分配部と；
前記電圧分配された電圧をフィードバックして変換された電圧レベルを出力するＤＣ／ＤＣ変換部と；
を備え、
前記ＤＣ／ＤＣ変換部から出力される出力電圧を前記モジュール１および前記モジュール２に供給することを特徴とする、有機発光表示装置の電源供給装置。
【請求項１０】
前記電圧分配部は、
前記入力電圧が伝達される第１抵抗と；
前記第１抵抗に直列に連結され、互いに並列に連結される第２抵抗および第３抵抗と；
前記第２抵抗と接地端との間に配置され、前記選択信号に応じて選択的にターンオンされる第１スイッチと；
を備えることを特徴とする、請求項９に記載の電源供給装置。
【請求項１１】
前記入力電圧を平滑にする第１キャパシタをさらに備えることを特徴とする、請求項９に記載の電源供給装置。
【請求項１２】
前記出力電圧を平滑にする第２キャパシタをさらに備えることを特徴とする、請求項９に記載の電源供給装置。
【発明の詳細な説明】
【技術分野】
【０００１】
本発明は、有機発光表示装置、および有機発光表示装置の電源供給装置に係り、デュアルモジュールの有機発光表示装置において製造コストの低減およびサイズの軽量化を図る有機発光表示装置、および有機発光表示装置の電源供給装置に関する。
【背景技術】
【０００２】
近年、自発光型表示装置として多様な表示装置が注目されており、その中でも特に有機発光表示装置が注目を浴びている。有機発光表示装置は、有機発光素子を画素として、画素両端に印加される電界による光の放出を用いた表示装置である。
【０００３】
図１は、有機発光素子を簡略に示す説明図であり、図２は、図１の有機発光素子の電気的等価回路図を示す図である。
【０００４】
図１、図２を参照して説明すると、有機発光素子１は、負極の金属電極１０１、正極の透明電極１０２の間に、有機化合物である有機蛍光体膜１０３および有機正孔輸送層１０４が積層されて形成される。
【０００５】
透明電極１０２の外側にガラス基板１０５を配し、駆動源１０６によって金属電極１０１から注入される電子と透明電極１０２から注入される正孔との再結合によって励起子が発生し、この励起子の放電過程で光を放出し、光が透明電極１０２およびガラス基板１０５を通じて外部に放出される。ここで、有機発光素子１は、構造上電極および有機蛍光体などを積層する構造からなっているために、有機発光素子１の電気的等価回路は寄生容量を有するようになる。すなわち、有機発光素子１は、図２と同様に、発光体Ｄと寄生容量Ｃとが並列連結された状態と同じである。
【０００６】
図３は、有機発光表示装置を簡略に示す説明図である。図３を参照して説明すると、従来の有機発光表示装置は、有機発光素子が複数個形成された有機発光表示パネル２、制御部２１、走査駆動部６およびデータ駆動部５を含む。
【０００７】
有機発光表示パネル２では、データラインＤ１，…，Ｄｍと走査ラインＳ１，…，Ｓｎとが所定間隔をおいて互いに交差して形成され、その交差領域で有機発光素子１が形成される。
【０００８】
制御部２１は、外部から入力される映像信号ＳＩＭを処理し、データ駆動部５にデータ制御信号ＳＤＡを印加し、走査駆動部６に走査制御信号ＳＳＣを印加する。ここで、データ制御信号ＳＤＡは、データ信号を含み、走査制御信号ＳＳＣは、走査信号を発生するためのスイッチング制御信号を含む。データラインＤ１，…，Ｄｍと電気的に連結されたデータ駆動部５は、制御部２１からのデータ制御信号ＳＤＡによって制御部２１からのデータ信号に相応する駆動電流を生成してデータラインＤ１，…，Ｄｍに印加する。
【０００９】
走査ラインＳ１，…，Ｓｎと電気的に連結された走査駆動部６は、制御部２１から入力されるスイッチング制御信号による走査信号をそれぞれの走査ラインＳ１，…，Ｓｎに順次に印加する。
【００１０】
図４は、従来のデュアルモジュールの有機発光表示装置を示すブロック図である。図４を参照して説明すると、従来の有機発光表示装置４００は、モジュール１  ４０１、モジュール２  ４０３、電源供給部１  ４０５、電源供給部２  ４０７、および制御部４０９を含む。
【００１１】
ここで、モジュールとは、図３の有機発光表示パネル２、データ駆動部５、走査駆動部６を含む概念である。従来の有機発光表示装置４００は、モジュールを２つ備えることによって、それぞれのモジュールに相異なる電源を供給する電源供給部１  ４０５および電源供給部２  ４０７を備えた。また、制御部４０９で、モジュール１  ４０１およびモジュール２  ４０３に、それぞれ制御信号ＳＣ１、ＳＣ２、データ信号ＤＡＴＡ１、ＤＡＴＡ２、および選択信号ＣＳ１、ＣＳ２を別途に印加した。ここで、制御信号ＳＣ１、ＳＣ２は、クロック信号、垂直同期信号、水平同期信号、書込み信号、読取り信号などを含む概念である。ここで、データ信号ＤＡＴＡ１、ＤＡＴＡ２は、データ駆動部５の動作を制御するデータ駆動制御信号、走査駆動部６の動作を制御する走査駆動制御信号を意味する。選択信号ＣＳ１、ＣＳ２は、モジュール１  ４０１とモジュール２  ４０３のうちいずれか１つを、または両方とも選択する信号を意味する。
【００１２】
このような図４の従来の有機発光表示装置によれば、デュアルモジュールシステムの実現のために２つの電源供給部４０５、４０７が必要であり、また、２つの制御信号ＳＣ１、ＳＣ２が制御部４０９から出力されねばならず、２つのデータ信号ＤＡＴＡ１、ＤＡＴＡ２が制御部４０９から出力されねばならない。上記は製造コストの上昇および有機発光表示装置の大型化を招くという問題点があった。
【発明の開示】
【発明が解決しようとする課題】
【００１３】
本発明は、上記問題に鑑みてなされたものであり、本発明の目的とするところは、デュアルモジュールの有機発光表示装置において、製造コストの低減およびサイズの軽量化を図ることが可能な、新規かつ改良された有機発光表示装置、および有機発光表示装置の電源供給装置を提供することにある。
【課題を解決するための手段】
【００１４】
上記目的を達成するために、本発明の第１の観点によれば、それぞれ有機発光表示パネルと駆動部とを備えるモジュール１およびモジュール２と、上記モジュール１および上記モジュール２に共通の制御信号、データ信号を印加し、上記モジュール１および上記モジュール２のうちいずれか１つを、または両方を選択する選択信号を別途に印加する制御部と、上記選択信号に応じた駆動電圧を上記モジュール１およびモジュール２に供給する電源供給部とを備える有機発光表示装置が提供される。
【００１５】
また、上記制御部からの選択信号が上記モジュール１およびモジュール２の両方を選択する場合に、上記電源供給部は共通の駆動電圧を供給するとしてもよい。
【００１６】
また、上記電源供給部は、入力電圧を伝達され、上記モジュール１を駆動させる第１駆動電圧、または上記モジュール２を駆動させる第２駆動電圧のいずれかを生成するように、上記選択信号に応じて選択的に電圧分配を行う電圧分配部と、上記電圧分配された電圧をフィードバックして変換された電圧レベルを出力するＤＣ／ＤＣ変換部とを備え、上記ＤＣ／ＤＣ変換部から出力される出力電圧を上記モジュール１および上記モジュール２に供給するとしてもよい。
【００１７】
また、上記電圧分配部は、上記入力電圧が伝達される第１抵抗と、上記第１抵抗に直列に連結され、互いに並列に連結される第２抵抗および第３抵抗と、上記第２抵抗と接地端との間に配置され、上記選択信号によりターンオンされる第１スイッチとを備えるとしてもよい。
【００１８】
また、上記第１スイッチがターンオンされると、上記電源供給部から出力される上記第１駆動電圧が上記モジュール１に供給され、上記第１スイッチがターンオフされると、上記電源供給部から出力される上記第２駆動電圧が上記モジュール２に供給されるとしてもよい。
【００１９】
また、上記制御部からの選択信号が上記モジュール１およびモジュール２の両方を選択する場合には、上記第１スイッチがターンオンされ、上記電源供給部から出力される上記第１駆動電圧が上記モジュール１および上記モジュール２の両方に供給されるとしてもよい。
【００２０】
また、上記電源供給部は、上記入力電圧を平滑にする第１キャパシタをさらに備えるとしてもよい。
【００２１】
また、上記電源供給部は、上記出力電圧を平滑にする第２キャパシタをさらに備えるとしてもよい。
【００２２】
また、上記電源供給部から上記モジュール１および上記モジュール２に出力される駆動電圧は、共通の電源ラインを通じて伝えられるとしてもよい。
【００２３】
また、上記目的を達成するために、本発明の第２の観点によれば、それぞれ有機発光表示パネルと駆動部とを備えるモジュール１およびモジュール２と、上記モジュール１および上記モジュール２に共通の制御信号、データ信号を印加し、上記モジュール１および上記モジュール２のうちいずれか１つを、または両方を選択する選択信号を別途に印加する制御部とを備える有機発光表示装置に用いることが可能な電源供給装置であって、入力電圧が伝達され、上記モジュール１を駆動させるための第１駆動電圧と、上記モジュール２を駆動させるための第２駆動電圧とのいずれかを生成するように、上記選択信号に応じて選択的に電圧分配を行う電圧分配部と、上記電圧分配された電圧をフィードバックして変換された電圧レベルを出力するＤＣ／ＤＣ変換部とを備え、上記ＤＣ／ＤＣ変換部から出力される出力電圧を上記モジュール１および上記モジュール２に供給する有機発光表示装置の電源供給装置が提供される。
【００２４】
また、上記電圧分配部は、上記入力電圧が伝達される第１抵抗と、上記第１抵抗に直列に連結され、互いに並列に連結される第２抵抗および第３抵抗と、上記第２抵抗と接地端との間に配置され、上記選択信号に応じて選択的にターンオンされる第１スイッチとを備えるとしてもよい。
【００２５】
また、上記電源供給部は、上記入力電圧を平滑にする第１キャパシタをさらに備えるとしてもよい。
【００２６】
また、上記電源供給部は、上記出力電圧を平滑にする第２キャパシタをさらに備えるとしてもよい。
【発明の効果】
【００２７】
本発明によれば、次のような効果が得られる。
【００２８】
デュアルモジュールを使用する有機発光表示装置において、電源供給部で２種の駆動電圧を生成可能にすることによって、有機発光表示装置の製造コストダウンおよび軽量化が図れる。
【００２９】
また、電源ライン、制御信号を伝達する制御ライン、データ信号を伝達するデータラインを共通で使用可能となって製造コストを容易に低減しうる。
【発明を実施するための最良の形態】
【００３０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００３１】
（本発明の実施形態）
図５は、本発明の一実施形態に係る有機発光表示装置を示すブロック図である。図５を参照して説明すると、本発明の実施形態に係る有機発光表示装置５００は、モジュール１  ５０１、モジュール２  ５０３、電源供給部５０５、および制御部５０９を備える。
【００３２】
ここで、モジュールとは、例えば、図３に示す有機発光表示パネル２、データ駆動部５、走査駆動部６を含む概念である。図４の従来のデュアルモジュールの有機発光表示装置４００は、モジュールを２つ備えることによって、それぞれのモジュールに相異なる電源を供給する電源供給部１  ４０５および電源供給部２  ４０７を備えたが、本発明の実施形態に係る有機発光表示装置５００では、単一の電源供給部５０５を備えることにより、製造コストの低減および有機発光表示装置の軽量化を図っている。
【００３３】
電源供給部５０５は、出力電圧をモジュール１  ５０１およびモジュール２  ５０３に供給する。ここで、上記出力電圧とは、モジュール１  ５０１の駆動に適した第１駆動電圧であり、モジュール２  ５０３の駆動に適した第２駆動電圧でもあり得る。すなわち、本発明の実施形態に係る電源供給部５０５は、少なくとも２種の駆動電圧を生成することが可能なものである。電源供給部５０５についての説明は、図６を参照して後述する。
【００３４】
制御部５０９は、モジュール１  ５０１およびモジュール２  ５０３に共通の制御信号ＳＣ、データ信号ＤＡＴＡを印加し、モジュール１  ５０１およびモジュール２  ５０３のうちいずれか１つを、または両方とも選択する選択信号ＣＳ１、ＣＳ２を別途に印加する。ここで、制御信号ＳＣは、クロック信号、垂直同期信号、水平同期信号、書込み信号、読取り信号などを含む概念である。また、データ信号ＤＡＴＡは、データ駆動部５の動作を制御するデータ駆動制御信号、走査駆動部６の動作を制御する走査駆動制御信号を意味する。選択信号ＣＳは、モジュール１  ５０１とモジュール２  ５０３のうちいずれか１つを、または両方とも選択する信号を意味する。選択信号ＣＳ１がモジュール１  ５０１を選択する場合に、電源供給部５０５は第１駆動電圧を出力し、選択信号ＣＳ２がモジュール２  ５０３を選択する場合に、電源供給部５０５は第２駆動電圧を出力する。一方、選択信号ＣＳ１、ＣＳ２がモジュール１  ５０１およびモジュール２  ５０３をいずれも選択する場合に、電源供給部５０５は共通の第１駆動電圧を供給しうる。
【００３５】
本発明の有機発光表示装置によれば、電源供給部５０５からモジュール１  ５０１およびモジュール２  ５０３に選択的に出力される第１駆動電圧および第２駆動電圧は共通の電源ラインを通じて伝えられうる。また、制御信号ＳＣ、データ信号ＤＡＴＡもそれぞれ共通の制御ライン、データラインを通じてモジュール１  ５０１およびモジュール２  ５０３に伝達されうる。
【００３６】
図６は、図５の電源供給部の一例を示す図面である。図６を参照して説明すると、図６の電源供給部５０５は、第１キャパシタＣ１、インダクタＬ、電圧分配部６０２、ＤＣ／ＤＣ変換部６０４、および第２キャパシタＣ２を備える。
【００３７】
第１キャパシタは、入力電圧Ｖｉｎを平滑にする。平滑な入力電圧Ｖｉｎは、電流保存素子であるインダクタＬおよびダイオードを経て出力電圧Ｖｏｕｔとして出力される。この際、出力電圧Ｖｏｕｔは、第２キャパシタＣ２により平滑され、電源供給部５０５からは、第２キャパシタＣ２により平滑された出力電圧Ｖｏｕｔが出力される。
【００３８】
電圧分配部６０２は、インダクタＬおよびダイオードを経た出力電圧Ｖｏｕｔを選択信号ＣＳ１、ＣＳ２によって選択的に電圧分配を行う役割を行う。電圧分配部６０２は、このために、第１抵抗Ｒ１、第１抵抗Ｒ１に直列に連結され、互いに並列に連結される第２抵抗Ｒ２および第３抵抗Ｒ３、および第２抵抗Ｒ２と接地端との間に配置される第１スイッチＳ１を含む。また、第３抵抗Ｒ３の一端は接地端に接続される。
【００３９】
図６に示すような電圧分配部６０２の構成によれば、第１スイッチＳ１がターンオンされる場合、すなわち、選択信号ＳＣ１がモジュール１  ５０１を選択する場合には、第２抵抗Ｒ２と第３抵抗Ｒ３との並列連結によって分配された電圧[Ｖｏｕｔ＊｛１＋Ｒ１／（Ｒ２／／Ｒ３）｝]をフィードバックの形態にＤＣ／ＤＣ変換部に伝達する。ＤＣ／ＤＣ変換部６０４は、電圧レベルを変化させ、再びインダクタＬに伝達する。ここで、（Ｒ２／／Ｒ３）は、Ｒ２とＲ３の合成抵抗を示す。
【００４０】
第１スイッチＳ１がターンオフされる場合、すなわち、選択信号ＳＣ２がモジュール２  ５０３を選択する場合には、これ以上第２抵抗Ｒ２が第３抵抗Ｒ３と並列に連結されないので、分配された電圧[Ｖｏｕｔ＊｛１＋Ｒ１／Ｒ３｝]をフィードバックの形態にＤＣ／ＤＣ変換部６０４に伝達する。ＤＣ／ＤＣ変換部６０４は、電圧レベルを変化させ、再びインダクタＬに伝達する。
【００４１】
このように選択信号ＳＣ１がモジュール１  ５０１を選択する場合には、電圧分配の形態によって、さらに高い出力電圧が電源供給部５０５から出力される。このようにモジュール１  ５０１を駆動するために電源供給部５０５から出力される電圧を第１駆動電圧と称し、モジュール２  ５０３を駆動するために電源供給部５０５から出力される電圧を第２駆動電圧と称する。
【００４２】
デュアルモジュールの有機発光表示装置において、モジュール１  ５０１をメインモジュール、モジュール２をサブモジュール５０３として使用することにより、例えば、モジュール１  ５０１の第１駆動電圧を約１８Ｖ程度とし、モジュール２  ５０３の第２駆動電圧を約１４Ｖ程度とすることができる。
【００４３】
一方、モジュール１  ５０１およびモジュール２  ５０３の両方が選択される場合には、選択信号ＣＳ１がモジュール１  ５０１に供給され、選択信号ＣＳ２がモジュール２  ５０３に供給される。このとき、電源供給部５０５は、さらに高い電圧である第１駆動電圧をモジュール１  ５０１およびモジュール２  ５０３に同時に供給することができる。これは、さらに低い電圧である第２駆動電圧をモジュール１  ５０１およびモジュール２  ５０３に供給する場合、モジュール１  ５０１が正常に動作しない可能性があるためである。
【００４４】
また、電源供給部５０５からモジュール１  ５０１およびモジュール２  ５０３にそれぞれ別途に出力される第１駆動電圧および第２駆動電圧は共通の電源ラインを通じて伝えられうる。
【００４５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４６】
本発明は、有機発光表示装置関連の技術分野に好適に適用することができる。
【図面の簡単な説明】
【００４７】
【図１】有機発光素子を簡略に示す説明図である。
【図２】図１の有機発光素子を示す電気的等価回路図である。
【図３】有機発光表示装置を簡略に示す説明図である。
【図４】従来のデュアルモジュールの有機発光表示装置を示すブロック図である。
【図５】本発明の一実施形態に係る有機発光表示装置を示すブロック図である。
【図６】図５に示す電源供給部の一例を示す回路図である。
【符号の説明】
【００４８】
Ｄ１，…，Ｄｍ    データライン
Ｓ１，…，Ｓｎ    走査ライン
１    有機発光素子
５    データ駆動部
６    走査駆動部
５０１、５０３    モジュール１、モジュール２
５０５    電源供給部
５０９    制御部
６０２    電圧分配部
６０４    ＤＣ／ＤＣ変換部
ＳＣ      制御信号
ＤＡＴＡ  データ信号
ＣＳ１、ＣＳ２    選択信号
【図１】
0005318363.tif 000002
【図２】
0005318363.tif 000003
【図３】
0005318363.tif 000004
【図４】
0005318363.tif 000005
【図５】
0005318363.tif 000006
【図６】
0005318363.tif 000007